(57)【要約】【課題】光ディスクの種類や製造メーカによって異なる最大記録速度（最大倍速）または記録品質の確認された所定の記録速度に応じてより最適な電力の供給を行うことで、データの転送速度の向上または消費電力の低減を実現できる光ディスクドライブ装置を提供することを目的とする。【解決手段】複数種の電力供給源から電力の供給を受ける電力接続手段２５ａ、２５ｂ、２５ｃ、２５ｄと、電力接続手段２５ａ、２５ｂ、２５ｃ、２５ｄを介して電力を供給している電力供給源を検知する検知手段２８と、電力の供給を受けていない他の電力供給源からの電力の供給をオペレータに促す制御手段２２と、を具備する。【選択図】図１
2008176841.tif 000002
【特許請求の範囲】
【請求項１】
複数種の電力供給源から電力の供給を受ける電力接続手段と、
前記電力接続手段を介して電力を供給している電力供給源を検知する検知手段と、
前記検知手段により検知された電力供給源に基づいて供給可能な最大電力を判断し、光ディスクに記録された所定の識別情報から前記光ディスクの設定記録速度を判断し、前記最大電力と前記所定の識別情報とに対応した電力別記録速度が前記設定記録速度よりも小さいと判断した場合、電力の供給を受けていない他の電力供給源からの電力の供給をオペレータに促す制御手段と、を具備したことを特徴とする光ディスクドライブ装置。
【請求項２】
複数種の電力供給源から電力の供給を受ける電力接続手段と、
前記電力接続手段を介して電力を供給している電力供給源を検知する検知手段と、
前記検知手段により検知された電力供給源に基づいて供給可能な最大電力を判断し、光ディスクに記録された所定の識別情報から前記光ディスクの設定記録速度を判断し、前記最大電力と前記所定の識別情報とに対応した電力別記録速度が前記設定記録速度よりも大きいと判断した場合、電力の供給を受けていない他の電力供給源からの電力の供給をオペレータに促す制御手段と、を具備したことを特徴とする光ディスクドライブ装置。
【請求項３】
前記設定記録速度は、前記所定の識別情報に基づいてあらかじめ前記制御手段に記憶された記録速度であることを特徴とする請求項１または請求項２記載の光ディスクドライブ装置。
【請求項４】
前記複数種の電力供給源は、交流電源を含むことを特徴とする請求項１または請求項２記載の光ディスクドライブ装置。
【請求項５】
前記複数種の電力供給源は、光ディスクドライブ装置が接続されるホストコンピュータから供給される電源を含むことを特徴とする請求項１または請求項２記載の光ディスクドライブ装置。
【請求項６】
前記複数種の電力供給源は、前記ホストコンピュータに実装されたインターフェースであって、少なくとも電力供給とデータ通信との両方が可能なインターフェースから供給される電源を含むことを特徴とする請求項５記載の光ディスクドライブ装置。
【請求項７】
前記電力接続手段のいずれかは、同一種の電力供給源に対して複数個の接続端子を有することを特徴とする請求項１または２記載の光ディスクドライブ装置。
【請求項８】
前記所定の識別情報は、前記光ディスクの内周側に記録されたその光ディスクの製造メーカ、メディア種別、及び最大記録速度（最大倍速）を示す情報であることを特徴とする請求項１または請求項２記載の光ディスクドライブ装置。
【請求項９】
前記制御手段は、電力の供給を受けていない他の電力供給源からの電力の供給をオペレータに促す旨のメッセージを光ディスクドライブ装置が接続されるホストコンピュータに表示させることを特徴とする請求項１または請求項２記載の光ディスクドライブ装置。
【請求項１０】
前記制御手段は、前記ホストコンピュータに実装されたインターフェースであって少なくともデータ通信の可能なインターフェースに対してデータ通信により前記ホストコンピュータの表示機能を制御することを特徴とする請求項９記載の光ディスクドライブ装置。
【請求項１１】
供給されている電力のレベルをオペレータに感知させる電力レベル表示手段を有し、
前記制御手段は、電力の供給を受けていない他の電力供給源からの電力の供給をオペレータに促す旨の表示を前記電力レベル表示手段で表示させることを特徴とする請求項１または請求項２記載の光ディスクドライブ装置。
【請求項１２】
供給されている電力のレベルをオペレータに感知させる電力レベル警報手段を有し、
前記制御手段は、電力の供給を受けていない他の電力供給源からの電力の供給をオペレータに促す旨の警報を前記電力レベル警報手段で警報させることを特徴とする請求項１または請求項２記載の光ディスクドライブ装置。
【請求項１３】
複数種の電力供給源から供給されている電力のいずれかに択一的に切替える電力切替手段を有し、
前記制御手段は、前記検知手段により検知された複数の電力供給源の中から最も大きな電力を供給している電力供給源を選択して、その選択された電力供給源からのみ電力を供給するように前記電力切替手段を制御することを特徴とする請求項１記載の光ディスクドライブ装置。
【請求項１４】
複数種の電力供給源から供給されている電力のいずれかに択一的に切替える電力切替手段を有し、
前記制御手段は、前記検知手段により検知された複数の電力供給源の中から最も小さな電力を供給している電力供給源を選択して、その選択された電力供給源からのみ電力を供給するように前記電力切替手段を制御することを特徴とする請求項２記載の光ディスクドライブ装置。
【請求項１５】
前記制御手段は、起動時における前記検知手段により検知された電力供給源と記録開始時における前記検知手段により検知された電力供給源とを比較して、供給可能な最大電力が変化したと判断した場合には、変化後の最大電力と前記所定の識別情報に対応した電力別記録速度で記録を開始するように制御することを特徴とする請求項１３または請求項１４記載の光ディスクドライブ装置。
【請求項１６】
前記光ディスクを回転させるスピンドルモータと、前記スピンドルモータに電力を供給するモータ駆動部と、前記モータ駆動部へ供給する電力を制御して前記スピンドルモータの回転制御を行うサーボ処理部と、を有し、
前記制御手段は、前記サーボ処理部を制御し前記スピンドルモータの回転速度の設定を加速または減速させて、前記モータ駆動部から出力される回転数信号を検出しながら、前記設定記録速度または所定の記録速度で記録を開始するように制御することを特徴とする請求項１５記載の光ディスクドライブ装置。
【請求項１７】
前記制御手段は、記録開始時における前記検知手段により検知された電力供給源と記録動作途中における前記検知手段により検知された電力供給源とを比較して、供給可能な最大電力が変化したと判断した場合には、一旦記録動作を停止させて変化後の最大電力と前記所定の識別情報に対応した電力別記録速度で記録を再開するように制御することを特徴とする請求項１または請求項２記載の光ディスクドライブ装置。
【請求項１８】
前記光ディスクを回転させるスピンドルモータと、前記スピンドルモータに電力を供給するモータ駆動部と、前記モータ駆動部へ供給する電力を制御して前記スピンドルモータの回転制御を行うサーボ処理部と、を有し、
前記制御手段は、前記サーボ処理部を制御し前記スピンドルモータの回転速度の設定を加速または減速させて、前記モータ駆動部から出力される回転数信号を検出しながら、前記設定記録速度または所定の記録速度で記録を再開するように制御することを特徴とする請求項１７記載の光ディスクドライブ装置。
【発明の詳細な説明】
【技術分野】
【０００１】
本発明は、光ディスクの種類や製造メーカによって異なる記録可能な最大の線速度（以下、最大記録速度と称する）に応じてより最適な電力の供給を行うことで、データの転送速度の向上または消費電力の低減を可能とした光ディスクドライブ装置に関するものである。
【背景技術】
【０００２】
近年、オーディオ用のディスクやデジタルカメラなどで代表されるように、多種多様な電子機器においてデジタル化が急速な伸展に伴い、ＣＤの規格を準拠した記録可能なＣＤとしてＣＤ−Ｒと呼ばれる光ディスクや一旦記録されたデータの書き換えにも対応したＣＤ−ＲＷなども普及し、電子データの記録用メディアとして広く用いられるようになってきている。
【０００３】
また、静止画、音楽、動画などの電子データなどを大容量で記録できる追記型用メディアとしてＤＶＤ±Ｒ、一旦記録されたデータの書き換えにも対応したＤＶＤ±ＲＷ、さらには書き換え回数の向上を図りパソコンのデータ保存用としても使用可能なＤＶＤ−ＲＡＭも普及しつつある。
【０００４】
そして、記録密度を向上するために記録層の片面二層化（ＤＶＤ±Ｒ  ＤＬ、ＤＶＤ±ＲＷ  ＤＬ）やデジタルハイビジョン映像の長時間録画にも対応が容易な次世代のＤＶＤとして注目されてきたＢＤ（ブルーレイ  ディスク）も実用化されつつある。
【０００５】
以上のような背景もあり、そのような光ディスクの大容量化に対応して光ディスクドライブ装置側においてもデータを安定して高速記録、高速再生できるようにスピンドルモータなどの高速回転化やデータ通信の高速化などの技術開発が行われている。
【０００６】
一方、ノート型パソコン本体やその周辺機器としての光ディスクドライブ装置、マウス、キーボードなどは、より軽量小型化が図られ、例えば屋外、自動車内、あるいは電源用コンセントから離れたオフィス内などにおいても十分使用可能なように携帯容易なモバイル対応が進められている。
【０００７】
つまり、そのようなモバイル対応のノート型パソコンでは、通常の使用状態においてＡＣアダプターを用いて交流電源から電力を供給して動作させ、周囲に電源がない場合には例えばリチウムイオン電池などの充電のできる二次電池によって電力を供給するバッテリー駆動により通常の動作が可能なように構成されているのが一般的である。
【０００８】
そして、通常そのような二次電池は、パソコンの非動作中において交流電源と接続するためのＡＣアダプターをパソコン本体の専用入力端子に接続したり、あるいはドッキングステーション（ドッキングベイとも称する）に装着したりして、外部より電力が供給されることで充電が行われる。
【０００９】
また、光ディスクドライブ装置、マウス、キーボードなどのような周辺機器は、よりモバイル性を高めるために、パソコン本体に実装されたＵＳＢ（Ｕｎｉｖｅｒｓａｌ  Ｓｅｒｉａｌ  Ｂｕｓ）インターフェースやＩＥＥＥ１３９４（ｔｈｅ  Ｉｎｓｔｉｔｕｔｅ  ｏｆ  Ｅｌｒｃｔｒｉｃａｌ  ａｎｄ  Ｅｌｅｃｔｒｏｎｉｃｓ  Ｅｎｇｉｎｅｅｒｓ  １３９４）インターフェースなどのような電力供給とデータ通信の両方が可能な、いわゆるバスパワーの得られるインターフェースに接続して使用されるようになってきている。
【００１０】
そのようなバスパワーの得られるインターフェースに対応した周辺機器は、ＡＣアダプターが付属され交流電源から充分な電力の供給されるセルフパワーに依存する周辺機器と比較すると、各々のインターフェースの規格で定められた比較的低い電力に制限されている（例えば、ＵＳＢ端子からはＤＣ５Ｖ５００ｍＡ、ＩＥＥＥ１３９４端子からはＤＣ１２Ｖ、１．５Ａ）ため、例えばＵＳＢハブなどのように複数のＵＳＢ端子を備えた中継機器を用いて複数の周辺機器を接続した場合には、必要な電力が不足してしまうので、それぞれの中継機器に交流電源用のＡＣアダプターを付属させ供給される電力を補ったり、それぞれの周辺機器自体がセルフパワーにも対応できるように制御できるようにしたりして動作状態への影響を軽減している。
【００１１】
また、データの転送速度を向上させるため光ディスクドライブ装置のスピンドルモータの回転速度を高速化してパフォーマンスをより大きくしようとする場合にもモータコイルの通電電流を大きくするために必要な電力が不足してしまうので、必要に応じて電力を供給する経路を切替える方法などが提案されている。
【００１２】
そのような従来の技術を、図９で示した従来の技術におけるコンピュータに接続されたフロッピー（登録商標）ディスク装置（周辺機器）のブロック図を参照して説明する。
【００１３】
ここで、フロッピー（登録商標）ディスク装置８１は、ＵＳＢインターフェース対応のものであり、コンピュータ本体８２とＵＳＢケーブル８３で接続されている。ＵＳＢケーブル８３は、１対の電源線（Ｖｃｃ，ＧＮＤ）Ｌ１と、１対の信号線（Ｄ＋，Ｄ−）Ｌ２の４本の線で構成されている。信号線Ｌ２に対しては、正電位と負電位とが互いに反転した信号が与えられ、シリアルに送受信が行われる。
【００１４】
また、フロッピー（登録商標）ディスク装置８１には、回転駆動部８４が設けられ、その回転駆動部８４は、スピンドルモータ８５とターンテーブル８６とモータドライバ８７とからなり、ターンテーブル８６にディスクＤの中心部がクランプされ、スピンドルモータ８５の回転駆動によってターンテーブル８６が回転させられる。ディスクＤは、例えば低容量タイプの表面に磁性体が塗布されたフレキシブルなものである。
【００１５】
また、ディスクＤはそのフロッピー（登録商標）ディスク装置８１の外部から挿入されて回転駆動部８４に装着される。またスピンドルモータ８５はモータドライバ８７により駆動制御されている。
【００１６】
また、フロッピー（登録商標）ディスク装置８１には、ディスクＤのサイド０側に磁気ヘッドＨ０が、ディスクＤを挟んで磁気ヘッドＨ０に対向するサイド１側に磁気ヘッドＨ１が、それぞれ支持アーム８８によってヘッドベース８９に支持されている。ヘッドベース８９は、ステッピングモータ９０によってディスクＤの半径方向へ駆動させられ、そのステッピングモータ９０はモータドライバ９１により駆動制御されている。
【００１７】
また、前記磁気ヘッドＨ０および磁気ヘッドＨ１はＲ／Ｗ（リード・ライト）アンプ９２などに接続されている。
【００１８】
また、フロッピー（登録商標）ディスク装置８１には、制御部となるＣＰＵ９３と、切替え手段９４が設けられている。ＣＰＵ９３は、モータドライバ８７，９１にスピンドルモータ８５、ステッピングモータ９０を制御する制御信号を与え、またディスクＤにデータを記録するときの書き込みタイミングやデータを再生するときの読み込みタイミング、シーク動作などを制御している。
【００１９】
切替え手段９４には、コンピュータ本体８２のＵＳＢインターフェース上のバスを介してバスパワーを受け入れる第１の入力部Ｅ１と、バスパワーよりも高い電力を受け入れ可能な第２の入力部Ｅ２が設けられ、第１の入力部Ｅ１と第２の入力部Ｅ２との切り換えが可能とされている。
【００２０】
そして、コンピュータ本体８２には、所定のオペレーティングシステムが導入され、そのオペレーティングシステムに対応したフロッピー（登録商標）ディスク装置８１用のドライバソフトウエアが組み込まれている。これにより、コンピュータ本体８２とフロッピー（登録商標）ディスク装置８１との間において、記録データと再生データとの受け渡しが可能となっている。
【００２１】
また、コンピュータ本体８２の内部には内部電源回路９５が設けられ、この内部電源回路９５とフロッピー（登録商標）ディスク装置８１とが所定の電源ケーブルを用いて接続されている。
【００２２】
ここで、内部電源回路９５は、第２の入力部Ｅ２に対してＵＳＢインターフェース上を流れるバスパワーよりも高い電力が供給可能とされている。また、図の点線で示すように、フロッピー（登録商標）ディスク装置８１にはコンピュータ本体８２の外部にある外部電源回路９６と接続されるものであってもよい。
【００２３】
この場合も前述したのと同様に第２の入力部Ｅ２に対してバスパワーよりも高い電力が供給される。
【００２４】
さらに、フロッピー（登録商標）ディスク装置８１には、内部電源回路９５または外部電源回路９６から第２の入力部Ｅ２に至るライン上に検知手段９７が設けられている。この検知手段９７は、検出ラインＬ３を介してＣＰＵ９３と接続されている。
【００２５】
なお、切替え手段９４は、フロッピー（登録商標）ディスク装置８１に内部電源回路９５または外部電源回路９６から電力が供給される時点においては、第２の入力部Ｅ２側に接続された状態であってもよく、第１の入力部Ｅ１側に接続された状態であってもよい。
【００２６】
次に、フロッピー（登録商標）ディスク装置８１がコンピュータ本体８２に接続されたときの処理について説明する。なお、以下ではコンピュータ本体８２の電源は投入されているものとする。
【００２７】
フロッピー（登録商標）ディスク装置８１に内部電源回路９５または外部電源回路９６が接続されると、内部電源回路９５または外部電源回路９６から電力が第２の入力部Ｅ２に供給される。このとき内部電源回路９５または外部電源回路９６が接続されたことを示す検知信号が検出ラインＬ３を介してＣＰＵ９３に通知される。
【００２８】
ＣＰＵ９３はその検知信号を検知することで内部電源回路９５または外部電源回路９６から電力が供給されていることを判断して、切替え手段９４を第２の入力部Ｅ２側に切り換える制御が行われる。ここでの電力は、スピンドルモータ８５、ステッピングモータ９０、ＣＰＵ９３、その他電力を必要とする部分に供給される。
【００２９】
この場合、例えばＤＣ５Ｖの電力が第２の入力部Ｅ２に供給されるが、最大５００ｍＡの制限が課されることはないため、ＵＳＢインターフェースを介して供給されるバス電力よりも大きな電力がフロッピー（登録商標）ディスク装置８１に供給可能となる。
【００３０】
そして、フロッピー（登録商標）ディスク装置８１がコンピュータ本体８２とＵＳＢケーブル８３を介して接続されると、コンピュータ本体８２はフロッピー（登録商標）ディスク装置８１が接続されたことを認識し、フロッピー（登録商標）ディスク装置８１に対してポーリングを開始する。
【００３１】
そのポーリングにより、フロッピー（登録商標）ディスク装置８１はコンピュータ本体８２に対して内部電源回路９５または外部電源回路９６を使用するコマンドを通知する。
【００３２】
このときコンピュータ本体８２では、それらのコマンドに対してＵＳＢインターフェースによるバスパワーの供給を停止する制御が行われるものであってもよく、あるいはそのままバスパワーの供給が続行される制御が行われるものであってもよい。
【００３３】
これは、コンピュータ本体８２のＯＳ側で自由に選択することができる。また、ＣＰＵ９３の判断により、通常時に第１の入力部Ｅ１と接続され、必要時のみ第２の入力部Ｅ２と接続されるように制御されるものであってもよい。
【００３４】
前述したようにフロッピー（登録商標）ディスク装置８１では、ＣＰＵ９３が内部電源回路９５または外部電源回路９６からの電力供給であるか、ＵＳＢインターフェースからのバスパワー供給であるかを判断することができる。
【００３５】
したがって、フロッピー（登録商標）ディスク装置８１に内部電源回路９５または外部電源回路９６が接続された場合には、ＣＰＵ９３が内部電源回路９５または外部電源回路９６からの電力を選択して、例えばスピンドルモータ８５の回転速度を倍速化させてデータの転送速度を向上させる処理が可能となる。
【００３６】
コンピュータ本体８２から記録信号が与えられると、ＣＰＵ９３によりフォーマット化され、Ｒ／Ｗアンプ９２を介して磁気ヘッドＨ０および磁気ヘッドＨ１にその信号が与えられる。また磁気ヘッドＨ１および磁気ヘッドＨ０によってディスクＤから読み取られた信号は、Ｒ／Ｗアンプ９２を介してＣＰＵ９３に与えられ、デコードされてコンピュータ本体８２に与えられる。
【００３７】
またＣＰＵ９３には、コンピュータ本体８２との間で転送するデータを格納するバッファメモリなどが設けられている。
【００３８】
また、フロッピー（登録商標）ディスク装置８１がコンピュータ本体８２とＵＳＢケーブル８３のみで接続され、内部電源回路９５または外部電源回路９６と接続されていない場合には、ＣＰＵ９３が、第２の入力部Ｅ２の電位が０Ｖまたはオープンな状態であることを検知手段９７により検出し、内部電源回路９５または外部電源回路９６からは電力が供給されていないことを判断して、切替え手段９４を第２の入力部Ｅ２から第１の入力部Ｅ１に切り換える制御が行われる。
【００３９】
また、このときＣＰＵ９３はコンピュータ本体８２に対してバスパワーを使用する旨のコマンドを通知する。これにより、フロッピー（登録商標）ディスク装置８１は最大５００ｍＡのバスパワーで実行可能なパフォーマンスにより処理が続けられる。
【００４０】
再度、内部電源回路９５または外部電源回路９６が接続された場合には、フロッピー（登録商標）ディスク装置８１のパフォーマンスを向上させた処理が可能となる。
【００４１】
上記のように構成したフロッピー（登録商標）ディスク装置８１は、二次電池などのバッテリー駆動によるコンピュータ本体８２に外部接続または内蔵されるものであってもよい。この場合、外部接続されるものであれば外部電源回路から電力が供給され、内蔵されるものであればバスパワーとは異なる経路を介して電力が供給されることで、ＣＰＵ９３が電力の供給が開始されたことを判断して、倍速化処理を実行させることができる（例えば、特許文献１参照）。
【００４２】
また、他の従来の技術では、図示しないが、スピンドルモータのモータ駆動手段に電力を供給する電圧の異なる少なくとも２つ（例えば、ＤＣ５ＶとＤＣ１２Ｖ）の電力供給手段と、これらの電力供給手段のいずれかを選択してモータ駆動手段に電力を供給する電力選択手段と、を備え、回転数、回転に要するトルクの大きさ、または回転数の変化に応じて、電圧の異なる少なくとも２つの電力供給手段のいずれかを選択してモータ駆動手段に電力を供給しモータ駆動手段での消費電力を低減したディスクの回転制御装置も提案されている（例えば、特許文献２参照）。
【００４３】
また、他の従来の技術では、図示しないが、ノートパソコン本体では電力供給ＡＣアダプターが接続され交流電源より電力が供給されているか否かに応じて交流電源とバッテリーのいずれかの電力の供給経路に切替えるのと同時にその電力の供給経路に対応した制限値切替信号が光ディスクドライブ装置に与え、光ディスクドライブ装置ではその内部に実装されたシステムコントロールマイコンがその制限値切替信号に基づいてデータの転送速度やスピンドルモータ駆動アンプを制御してその回転速度の最大値を制限するようにして、交流電源による電力の供給であれば消費電力を抑えることなく最大のパフォーマンスで動作させ、バッテリーによる電力の供給であればパフォーマンスを制限して動作させ消費電力を低減した電源及び信号接続用のコネクタを備えた内蔵型の光ディスクドライブ装置も提案されている（例えば、特許文献３参照）。
【００４４】
また、他の従来の技術では、図示しないが、インターフェースから電力の供給されるバスパワーとその電力よりも大きい例えば交流電源などの外部電源から直接電力が供給されるセルフパワーの２種類の方式に対応が可能な場合において、それぞれの電力の供給に応じてスピンドルモータの回転速度を切り替え最大のパフォーマンスを発揮する光ディスクドライブ装置も提案されている（例えば、特許文献４参照）。
【００４５】
また、他の従来の技術では、図示しないが、セルフパワーの得られるインターフェースと接続できる端子を複数備え、供給できる電力を大きくし、よりパフォーマンスの向上を図った電子機器（例えば、特許文献５参照）、あるいはコントロールビットによってＣＤであるかＣＤ−ＲＯＭであるかを識別して、それぞれに応じてスピンドルモータの回転速度を制御したＣＤ再生装置も提案されている（例えば、特許文献６参照）。
【特許文献１】特開２００２−９９３６２号公報（第５頁、図１）
【特許文献２】特開平８−４５１７５号公報（第６頁、図１、図３）
【特許文献３】特開２００１−３３２００５号公報（第４頁、図１）
【特許文献４】特開２００４−１５２３４２号公報（第１１頁、図１１）
【特許文献５】特開２００２−２９７２６９号公報（第６頁、図１）
【特許文献６】特開平４−２９１０５６号公報（第３頁、図２）
【発明の開示】
【発明が解決しようとする課題】
【００４６】
しかしながら、前述したような従来の技術では、光ディスクドライブ装置へ電力の供給される経路として、例えばＡＣアダプターを用いた交流電源によるもの、パソコン本体との専用のコネクタ接続によるもの、あるいはセルフパワーの得られる各種インターフェースによるものなど、それら複数の電力の供給経路のうちの実際に接続された電力の大きさに応じて光ディスクドライブ装置のスピンドルモータの回転速度のパフォーマンスを切替えてデータ転送速度を速めることを目的としたものや、あるいは光ディスクドライブ装置のスピンドルモータの回転数、回転に要するトルクの大きさ、回転数の変化などの動作状態に応じてそれら複数の電力の供給経路のうち最適なものを選択することを目的としたもの、さらには単に光ディスクの種類に応じてスピンドルモータの回転速度のパフォーマンスを切替えてデータ転送速度を速めることを目的としたものである。
【００４７】
したがって、その光ディスクドライブ装置に装着される光ディスクの最大記録速度とは関係なくスピンドルモータの回転速度のパフォーマンスが制御されるため、その光ディスクドライブ装置を扱うオペレータが、装着された光ディスクの許容できる最大記録速度の範囲内でデータの転送速度を向上させて記録時間を短縮したい場合に、より大きな電力を供給すればそれが可能であるのかどうかを感知できないので、実際には光ディスクドライブ装置のスピンドルモータの回転速度のパフォーマンスが充分であってもそのパフォーマンスを活用することが困難となっている。
【００４８】
また、その反対により小さな電力を供給しても装着された光ディスクの許容できる最大記録速度での記録が可能であるのかどうかを感知できないので、光ディスクドライブ装置のスピンドルモータの回転速度のパフォーマンスを下げて低電力での記録を行いバッテリー駆動の場合における動作時間を長くすることも困難となっている。
【００４９】
つまり、ＣＤ−Ｒ、ＣＤ−ＲＷ、ＤＶＤ±Ｒ、ＤＶＤ±ＲＷ、ＤＶＤ−ＲＡＭ、ＤＶＤ±Ｒ  ＤＬ、ＤＶＤ±ＲＷ  ＤＬ、ＤＶＤ−ＲＡＭ  ＤＬなどの光ディスクはその種類や製造メーカによって最大記録速度が大きく異なるが、従来の技術では実際に装着された光ディスクのそれぞれの最大記録速度に応じて、より最適な電力の供給を行うことによりデータの転送速度の向上または消費電力の低減を図るのが困難となっている。
【００５０】
より具体的に説明すると、例えばモバイル対応のノート型パソコンのＵＳＢインターフェースに接続されバスパワーの供給によって動作している光ディスクドライブ装置に装着して記録を開始する場合などにおいて、装着された光ディスクがより大きな電力の供給が可能なＩＥＥＥ１３９４インターフェースに接続して電力を供給するか、あるいはＡＣアダプターを用いた交流電源を供給するかなどしてその光ディスクドライブ装置のパフォーマンスを向上させてデータの転送速度を速めることにより記録時間を短縮できるのかどうかを感知できれば、一時的にそのノート型パソコンの電力の供給経路を変更することにより電力消費よりも記録時間の短縮の方を優先させることが容易となるのだが、従来の技術ではそのような対処が困難となっている。
【００５１】
本発明は、前記従来の課題を解決するもので、光ディスクの種類や製造メーカによって異なる最大記録速度（最大倍速）または記録品質の確認された所定の記録速度に応じてより最適な電力の供給を行うことで、データの転送速度の向上または消費電力の低減を実現できる光ディスクドライブ装置を提供することを目的とする。
【課題を解決するための手段】
【００５２】
前記従来の課題を解決するために、本発明の光ディスクドライブ装置は、検知手段により検知された電力供給源に基づいて供給可能な最大電力を判断し、光ディスクに記録された所定の識別情報から光ディスクの設定記録速度を判断し、最大電力と所定の識別情報とに対応した電力別記録速度が設定記録速度よりも小さいと判断した場合、電力の供給を受けていない他の電力供給源からの電力の供給をオペレータに促す制御手段と、を具備している。
【００５３】
本構成により、光ディスクドライブ装置を扱うオペレータが、装着された光ディスクの許容できる設定記録速度の範囲内でデータの転送速度を向上させて記録時間を短縮したい場合に、より大きな電力を供給すればそれが可能であることを感知できるので、光ディスクドライブ装置のスピンドルモータの回転速度のパフォーマンスを充分に活用してデータの転送速度の向上を実現できる。
【００５４】
また、本発明の光ディスクドライブ装置は、検知手段により検知された電力供給源に基づいて供給可能な最大電力を判断し、光ディスクに記録された所定の識別情報から光ディスクの設定記録速度を判断し、最大電力と所定の識別情報とに対応した電力別記録速度が設定記録速度よりも大きいと判断した場合、電力の供給を受けていない他の電力供給源からの電力の供給をオペレータに促す制御手段と、を具備している。
【００５５】
本構成により、光ディスクドライブ装置を扱うオペレータが、より小さな電力を供給しても装着された光ディスクの許容できる設定記録速度での記録が可能であるのかどうかを感知できるので、光ディスクドライブ装置のスピンドルモータの回転速度のパフォーマンスを下げて低電力での記録を行って、消費電力の低減を実現できる。
【発明の効果】
【００５６】
本発明の光ディスクドライブ装置によれば、データの転送速度の向上または消費電力の低減を実現できる。
【発明を実施するための最良の形態】
【００５７】
本発明の請求項１記載の発明によれば、複数種の電力供給源から電力の供給を受ける電力接続手段と、電力接続手段を介して電力を供給している電力供給源を検知する検知手段と、検知手段により検知された電力供給源に基づいて供給可能な最大電力を判断し、光ディスクに記録された所定の識別情報から光ディスクの設定記録速度を判断し、最大電力と所定の識別情報とに対応した電力別記録速度が設定記録速度よりも小さいと判断した場合、電力の供給を受けていない他の電力供給源からの電力の供給をオペレータに促す制御手段と、を具備したことにより、光ディスクドライブ装置を扱うオペレータが、装着された光ディスクの許容できる設定記録速度の範囲内でデータの転送速度を向上させて記録時間を短縮したい場合に、より大きな電力を供給すればそれが可能であることを感知できるので、光ディスクドライブ装置のスピンドルモータの回転速度のパフォーマンスを充分に活用してデータの転送速度の向上を実現できる。つまり、容易に記録時間を短縮できる。
【００５８】
本発明の請求項２記載の発明によれば、複数種の電力供給源から電力の供給を受ける電力接続手段と、電力接続手段を介して電力を供給している電力供給源を検知する検知手段と、検知手段により検知された電力供給源に基づいて供給可能な最大電力を判断し、光ディスクに記録された所定の識別情報から光ディスクの設定記録速度を判断し、最大電力と所定の識別情報とに対応した電力別記録速度が設定記録速度よりも大きいと判断した場合、電力の供給を受けていない他の電力供給源からの電力の供給をオペレータに促す制御手段と、を具備したことにより、光ディスクドライブ装置を扱うオペレータが、より小さな電力を供給しても装着された光ディスクの許容できる設定記録速度での記録が可能であるのかどうかを感知できるので、光ディスクドライブ装置のスピンドルモータの回転速度のパフォーマンスを下げて低電力での記録を行って、消費電力の低減を実現できる。つまり、バッテリー駆動の場合における動作時間を長くすることができる。
【００５９】
本発明の請求項３記載の発明によれば、設定記録速度は、所定の識別情報に基づいてあらかじめ制御手段に記憶された記録速度であることにより、製造メーカの保証した最大記録速度（最大倍速）または記録品質の確認された所定の記録速度で記録することができるので、より安定した記録品質を確保できる。
【００６０】
本発明の請求項４記載の発明によれば、複数種の電力供給源は、交流電源を含むことにより、ＡＣアダプターなどを介して大きな電力を供給できるので、光ディスクドライブ装置のスピンドルモータの回転速度のパフォーマンスを容易に向上できる。
【００６１】
本発明の請求項５記載の発明によれば、複数種の電力供給源は、光ディスクドライブ装置が接続されるホストコンピュータから供給される電源を含むことにより、ＤＣ５ＶやＤＣ１２Ｖなどの小さな電力を供給できるので、光ディスクドライブ装置のスピンドルモータの回転速度のパフォーマンスを下げて低電力での記録を行って、消費電力の低減を実現できる。
【００６２】
本発明の請求項６記載の発明によれば、複数種の電力供給源は、ホストコンピュータに実装されたインターフェースであって、少なくとも電力供給とデータ通信との両方が可能なインターフェースから供給される電源を含むことにより、モバイル性の向上と併せて光ディスクドライブ装置とホストコンピュータとの間の信号の送受信を容易に行えるので、必要に応じてホストコンピュータの機能を活用できる。
【００６３】
本発明の請求項７記載の発明によれば、電力接続手段のいずれかは、同一種の電力供給源に対して複数個の接続端子を有することにより、同一種の電力供給源から供給される電流を大きくまたは小さくすることが容易にできるので、データの転送速度の向上または消費電力の低減を行うための処置を迅速に行うことができる。
【００６４】
本発明の請求項８記載の発明によれば、所定の識別情報は、光ディスクの内周側に記録されたその光ディスクの製造メーカ、メディア種別、及び最大記録速度（最大倍速）を示す情報であることにより、それらの情報に基づいて容易に光ディスクの電力別記録速度と設定記録速度を判断できるので、容易により安定した高品位の制御を実現できる。
【００６５】
本発明の請求項９記載の発明によれば、制御手段は、電力の供給を受けていない他の電力供給源からの電力の供給をオペレータに促す旨のメッセージを光ディスクドライブ装置が接続されるホストコンピュータに表示させることにより、オペレータはそのホストコンピュータを通じて供給されている電力レベルをより確実に感知できるので、データの転送速度の向上または消費電力の低減を行うための処置を迅速に行うことができる。
【００６６】
本発明の請求項１０記載の発明によれば、制御手段は、ホストコンピュータに実装されたインターフェースであって少なくともデータ通信の可能なインターフェースに対してデータ通信によりホストコンピュータの表示機能を制御することにより、ホストコンピュータとのデータ通信を既存のインターフェースで行うことができるので、別にデータ通信用のケーブルを設ける必要がなく接続の簡素化と併せてモバイル性も向上できる。
【００６７】
本発明の請求項１１記載の発明によれば、供給されている電力のレベルをオペレータに感知させる電力レベル表示手段を有し、制御手段は、電力の供給を受けていない他の電力供給源からの電力の供給をオペレータに促す旨の表示を電力レベル表示手段で表示させることにより、オペレータはその電力レベル表示手段を通じて供給されている電力レベルを視覚的に確実に感知できるので、データの転送速度の向上または消費電力の低減を行うための処置を迅速に行うことができる。
【００６８】
本発明の請求項１２記載の発明によれば、供給されている電力のレベルをオペレータに感知させる電力レベル警報手段を有し、制御手段は、電力の供給を受けていない他の電力供給源からの電力の供給をオペレータに促す旨の警報を電力レベル警報手段で警報させることにより、オペレータはその電力レベル警報手段を通じて供給されている電力レベルを聴覚的に確実に感知できるので、データの転送速度の向上または消費電力の低減を行うための処置を迅速に行うことができる。
【００６９】
本発明の請求項１３記載の発明によれば、複数種の電力供給源から供給されている電力のいずれかに択一的に切替える電力切替手段を有し、制御手段は、検知手段により検知された複数の電力供給源の中から最も大きな電力を供給している電力供給源を選択して、その選択された電力供給源からのみ電力を供給するように電力切替手段を制御することにより、電力接続手段に複数の電力供給源が同時に接続されている場合でも、それら複数の電力供給源の相互間に生じる電流の逆流を未然に防止できるので、電力供給源を有効に保護することができる。また、起動時における電力供給源の接続を一旦解除する必要がないので、接続作業の利便性を向上できる。
【００７０】
本発明の請求項１４記載の発明によれば、複数種の電力供給源から供給されている電力のいずれかに択一的に切替える電力切替手段を有し、制御手段は、検知手段により検知された複数の電力供給源の中から最も小さな電力を供給している電力供給源を選択して、その選択された電力供給源からのみ電力を供給するように電力切替手段を制御することにより、電力接続手段に複数の電力供給源が同時に接続されている場合でも、それら複数の電力供給源の相互間に生じる電流の逆流を未然に防止できるので、電力供給源を有効に保護することができる。
【００７１】
本発明の請求項１５記載の発明によれば、制御手段は、起動時における検知手段により検知された電力供給源と記録開始時における検知手段により検知された電力供給源とを比較して、供給可能な最大電力が変化したと判断した場合には、変化後の最大電力と所定の識別情報とに対応した電力別記録速度で記録を開始するように制御することにより、供給されている電力レベルをオペレータが感知し、データの転送速度の向上または消費電力の低減を行うための処置として電力供給源の種別を変更しても、その変更された電力供給源の最大電力と所定の識別情報とに対応した電力別記録速度で記録を開始できる。
【００７２】
本発明の請求項１６記載の発明によれば、光ディスクを回転させるスピンドルモータと、スピンドルモータに電力を供給するモータ駆動部と、モータ駆動部へ供給する電力を制御してスピンドルモータの回転制御を行うサーボ処理部と、を有し、制御手段は、サーボ処理部を制御しスピンドルモータの回転速度の設定を加速または減速させて、モータ駆動部から出力される回転数信号を検出しながら、設定記録速度または所定の記録速度で記録を開始するように制御することにより、供給されている電力レベルをオペレータが感知し、データの転送速度の向上または消費電力の低減を行うための処置として電力供給源の種別を変更した際、その変更された電力供給源の最大電力と所定の識別情報とに対応した設定記録速度に到達しなくても、そのスピンドルモータの回転速度のパフォーマンス範囲の中でよりその設定記録速度に近い速度で記録を開始できる。
【００７３】
本発明の請求項１７記載の発明によれば、制御手段は、記録開始時における検知手段により検知された電力供給源と記録動作途中における検知手段により検知された電力供給源とを比較して、供給可能な最大電力が変化したと判断した場合には、一旦記録動作を停止させて変化後の最大電力と所定の識別情報とに対応した電力別記録速度で記録を再開するように制御することにより、記録動作途中において、供給されている電力レベルをオペレータが感知し、データの転送速度の向上または消費電力の低減を行うための処置として電力供給源の種別を変更しても、その変更された電力供給源の最大電力と所定の識別情報とに対応した電力別記録速度で記録を再開できる。
【００７４】
本発明の請求項１８記載の発明によれば、光ディスクを回転させるスピンドルモータと、スピンドルモータに電力を供給するモータ駆動部と、モータ駆動部へ供給する電力を制御してスピンドルモータの回転制御を行うサーボ処理部と、を有し、制御手段は、サーボ処理部を制御しスピンドルモータの回転速度の設定を加速または減速させて、モータ駆動部から出力される回転数信号を検出しながら、設定記録速度または所定の記録速度で記録を再開するように制御することにより、記録動作途中において、供給されている電力レベルをオペレータが感知し、データの転送速度の向上または消費電力の低減を行うための処置として電力供給源の種別を変更した際、その変更された電力供給源の最大電力と所定の識別情報とに対応した設定記録速度に到達しなくても、そのスピンドルモータの回転速度のパフォーマンス範囲の中でよりその設定記録速度に近い速度で記録を開始できる。
【００７５】
以下、本発明を実施するための最良の形態について、図面を参照しながら説明する。
【００７６】
（実施の形態１）
図１〜図３において、図１は、本発明の実施の形態１に係わる光ディスクドライブ装置のブロック図で、図２は、本発明の実施の形態１に係わる光ディスクドライブ装置の起動から記録開始までの制御手順を示したフローチャートで、図３は、本発明の実施の形態１に係わる光ディスクドライブ装置が予め記憶している記録速度比較テーブルを示す図である。
【００７７】
まず、図１で示したように、本発明に係る内蔵型に対応した光ディスクドライブ装置１０は、ホストコンピュータ１１に専用のコネクタ（図示せず）とバスケーブル（図示せず）を介して接続されていて、データ記録層を有し、記録または再生可能な光ディスク１２の下方には光ピックアップモジュール１３が配置され、その光ピックアップモジュール１３には、光ディスク１２を可変的に回転させたり、あるいは一定の速度で回転させたりする回転駆動力を与えるスピンドルモータ１４が搭載されている。
【００７８】
また、光ピックアップモジュール１３を構成し対物レンズ（図示せず）を有する光ピックアップ１５は、その光ディスク１２にレーザ光を照射することで光ディスク１２の所定の領域に情報を書込み（記録）したり、あるいは照射したレーザ光の反射光を元に情報を読込み（再生）したりするためにキャリッジ１６に搭載され、そのキャリッジ１６はフィード部１７によって駆動され、光ディスク１２の半径方向に往復移動している。
【００７９】
そして、フィード部１７には、キャリッジ１６を駆動するためのフィードモータ１８や、ギア（図示せず）、スクリューシャフト（図示せず）等が配置されていて、フィードモータ１８を回転させることによってキャリッジ１６が光ディスク１２の半径方向である内周側から外周側に渡って往復移動ができるような構成となっている。
【００８０】
つまり、以上のような主要な構成要素によって、小型／薄型の光ディスクドライブ装置１０の光ピックアップモジュール１３が構成されている。
【００８１】
また、アナログ信号処理部１９は、光ピックアップモジュール１３の内部のキャリッジ１６に搭載された光ピックアップ１５の内部のフォトセンサ（図示せず）からの出力信号を基に、フォーカスエラー信号とトラッキングエラー信号を生成して、光ピックアップ１５の３軸アクチュエータを制御するサーボ処理部２０に出力する。
【００８２】
また、サーボ処理部２０は、アナログ信号処理部１９から送られてきたアナログ信号をデジタル信号に変換するＡ／Ｄ変換器、そのＡ／Ｄ変換器で変換されたデジタル信号を一時的に記憶するメモリ、メモリに記憶されたデジタル信号あるいはＡ／Ｄ変換器から送られてきたデジタル信号を所定の方法で演算する演算回路、その演算回路にて演算されたデジタル信号をアナログ信号に変換するＤ／Ａ変換器等によって構成されており、光ディスク１２のデータ記録層に形成されるレーザ光のビームスポットが光ディスク１２の情報トラックに精度よく追従するようにフィルタ信号処理や各種演算処理をデジタル演算によって行っている。
【００８３】
そして、サーボ処理部２０は、モータ駆動部２１を介して光ピックアップ１５に搭載されている対物レンズをフォーカス方向やトラッキング方向に移動させたりする制御やチルト方向に傾けたりする制御を行うのに加えて、フィード部１７の移送制御やスピンドルモータ１４の回転制御等を行う。
【００８４】
さらに、サーボ処理部２０は、制御手段２２からの制御に関する指令（コマンド）などによっていろいろなパラメータ設定やシーケンス制御がプレキシブルに行われている。
【００８５】
そして、再生動作時には、光ディスク１２に光ピックアップ１５からレーザ光を照射し、その光ディスク１２からの反射光をフォトセンサで受光し、その受光した反射光に応じて再生信号としてアナログ信号処理部１９を介して、データスライサ、データＰＬＬ回路、ジッタ測定回路、エラー訂正部、変／復調部／バッファメモリ／レーザ制御部等から構成され、制御手段２２により制御されたデジタル信号処理部２３に送り込まれ、さらにそのデジタル信号処理部２３から出力された信号は、ホストコンピュータ１１側へ有効な再生用のデジタルデータとして転送される。
【００８６】
一方、記録動作時には、制御手段２２により制御されたデジタル信号処理部２３によってホストコンピュータ１１から送られてきたデジタルデータを変調し、レーザ駆動部２４を介して光ピックアップ１５内に搭載されたレーザ（図示せず）等の光源に所定の駆動電流を供給し、その光源を例えばパルス状に発光させて、光ディスク１２の情報トラックに記録を行う。
【００８７】
つまり、制御手段２２は、以上のように構成された光ディスクドライブ装置１０全体の制御を行うものである。
【００８８】
次に、この光ディスクドライブ装置１０に電力を供給する電力供給源と供給された電力の経路について説明する。
【００８９】
ここで、前述したように光ディスクドライブ装置１０は内蔵型であるため、起動時には動作に必要な電力は、前述したようにホストコンピュータ１１とデータ通信と電源供給との両方が可能な専用のコネクタ（図示せず）とバスケーブル（図示せず）を介して供給されている。
【００９０】
したがって、ホストコンピュータ１１から所定の電力（例えば、ＤＣ＋５Ｖ、３Ａで１５Ｗ）を供給できるＤＣ  ＯＵＴ端子からその専用のコネクタに相当する電力接続手段２５ａの方向へ電力が供給され、さらにその電力接続手段２５ａからサーボ処理部２０の方向へ、実線の矢印で示したように電力が供給される。
【００９１】
なお、ここで破線の矢印は、起動時には電力を供給していない他の電力供給源から電力を供給した場合の、電力の供給方向を示している。
【００９２】
また、この図からも明らかなように光ディスクドライブ装置１０は、そのＤＣ  ＯＵＴとは異なる種類の電力供給源であるＵＳＢインターフェース、ＩＥＥＥ１３９４インターフェースなどのインターフェース２６、またはＡＣアダプター２７を用いた交流電源などの複数種の電力供給源から電力の供給を受けることのできるように、それぞれの電力供給源に接続されるケーブルの接続端子の仕様に応じた電力接続手段２５ｂ、２５ｃ、２５ｄを備えている。
【００９３】
そして、それぞれの電力接続手段２５ａ、２５ｂ、２５ｃ、２５ｄには、所定の電力が供給されたかどうかを検知するための検知手段２８が設けられ、その検知結果が制御手段２２に伝達されるようになっている。
【００９４】
また、電力レベル表示手段２９は、例えば緑色ＬＥＤ、緑色ランプ、液晶表示装置などであって、オペレータに供給されている電力レベルを視覚的に確実に感知させて電力の供給を受けていない他の電力供給源からの電力の供給を促すことができる。
【００９５】
また、その他の電力供給源であるＵＳＢインターフェース、ＩＥＥＥ１３９４インターフェースなどのインターフェース２６、またはＡＣアダプター２７を用いた交流電源などは、それぞれ異なる大きさの電力の供給が可能であって、ＵＳＢインターフェースであれば２．５Ｗ（ＤＣ＋５Ｖ、０．５Ａ）、ＩＥＥＥ１３９４インターフェースであれば１８Ｗ（ＤＣ＋１２Ｖ、１．５Ａ）と規定されており、ＡＣアダプター２７を用いた交流電源であれば例えば４８Ｗ（ＤＣ＋１６Ｖ、３Ａ）やそれ以上の大きさの電力の供給も可能である。
【００９６】
また、前述したようにホストコンピュータ１１に実装されたＵＳＢインターフェースやＩＥＥＥ１３９４インターフェースなどのインターフェース２６は、少なくとも電力供給とデータ通信との両方が可能なバスパワーの得られるインターフェースであって、最近ではモバイル性を高めるため外付け型の光ディスクドライブ装置、マウス、キーボードなどのような各種の周辺機器へ応用され始めている。
【００９７】
次に、図２を参照して起動から記録開始までの制御手順について説明する。
【００９８】
まず、光ディスクドライブ装置１０に光ディスク１２が装着され、その光ディスクドライブ装置１０の電源がＯＮされると直ちに起動する（Ｓ１）。
【００９９】
次に、光ディスク１２はスピンドルモータ１４によって所定の回転速度で回転駆動されると、制御手段２２は、その光ディスク１２の内周側のデータイン領域に記録されたその光ディスク１２の製造メーカ、メディア種別、及び最大記録速度（最大倍速）を示す所定の識別情報をデジタル信号処理部２３経由で取得し、その識別情報に基づいて、予め制御手段２２に記憶されている例えば図３で示したような記録速度比較テーブルにおける設定記録速度（ＳＶ）を判断する（Ｓ２）。
【０１００】
ここで、制御手段２２は、それら所定の識別情報に基づいて容易にその光ディスク１２の設定記録速度と電力別記録速度を判断できるので、容易に安定した高品位の制御を実現できる。
【０１０１】
また、制御手段２２は、それぞれの電力接続手段２５ａ、２５ｂ、２５ｃ、２５ｄに設けられた検知手段２８によって検知された電力供給源に基づいて供給可能な最大電力を判断し（Ｓ３）、その最大電力と取得した所定の識別情報から記録速度比較テーブルにおける電力別記録速度（ＤＶ）を判断する（Ｓ４）。
【０１０２】
そして、制御手段２２が、電力別記録速度（ＤＶ）と設定記録速度（ＳＶ）を比較し（Ｓ５）、電力別記録速度（ＤＶ）は設定記録速度（ＳＶ）よりも小さい、つまりＤＶ＜ＳＶと判断した場合には、例えば緑色ＬＥＤ、緑色ランプ、液晶表示装置などの電力レベル表示手段２９にＬＯＷレベルを表示させて（Ｓ６）、オペレータに供給されている電力レベルを視覚的に確実に感知させて電力の供給を受けていない他の電力供給源からの電力の供給を促す。
【０１０３】
そうすると、オペレータはその電力レベル表示手段２９を通じて供給されている電力がＬＯＷレベルにあることを視覚的に確実に感知し、起動時の電力供給源からの給電を中止する（Ｓ７）。
【０１０４】
但し、本実施の形態１の場合であれば内蔵型であるため、光ディスクドライブ装置１０に専用コネクタから供給されている電源の接続解除用のスイッチを設け、そのスイッチをＯＦＦできるようにすると電力切替え作業が容易となるのでより好ましい。
【０１０５】
次に、オペレータはより電力の大きい他の電力供給源から電力を供給できるように、例えばＩＥＥＥ１３９４インターフェースに接続されたケーブルまたはＡＣアダプター２７を用いた交流電源のケーブルを他の電力接続手段２５ｃまたは２５ｄに接続して電力を供給し、再起動する（Ｓ８）。
【０１０６】
そして、再度Ｓ２〜Ｓ３の手順と同様に、制御手段２２は、それぞれの電力接続手段２５ａ、２５ｂ、２５ｃ、２５ｄに設けられた検知手段２８によって検知された電力供給源に基づいて供給可能な最大電力を判断し、その最大電力と取得した所定の識別情報から記録速度比較テーブルにおける電力別記録速度（ＤＶ）と設定記録速度（ＳＶ）とを判断して、記録速度を再設定する（Ｓ９）。
【０１０７】
最後に、光ディスクドライブ装置１０のレーザ駆動部２４では、ＬＤ（レーザーダイオード）パワーやライトストラテジーのモードが再設定されて（Ｓ１０）、記録が開始される（Ｓ１１）。
【０１０８】
一方、制御手段２２が、電力別記録速度（ＤＶ）と設定記録速度（ＳＶ）を比較し（Ｓ５）、電力別記録速度（ＤＶ）は設定記録速度（ＳＶ）よりも大きい、つまりＤＶ＞ＳＶと判断した場合には、例えば赤色ＬＥＤ、赤色ランプ、液晶表示装置などの電力レベル表示手段２９にＨＩＧＨレベルを表示させて（Ｓ１２）、オペレータに供給されている電力レベルを視覚的に確実に感知させて電力の供給を受けていない他の電力供給源からの電力の供給を促す。
【０１０９】
そうすると、オペレータはその電力レベル表示手段２９を通じて供給されている電力がＨＩＧＨレベルにあることを視覚的に確実に感知し、起動時の電力供給源からの給電を中止する（Ｓ１３）。
【０１１０】
次に、オペレータはより電力の小さい他の電力供給源から電力を供給できるように、例えばＵＳＢインターフェースなどに接続されたケーブルを他の電力接続手段２５ｂに接続して電力を供給し、再起動する（Ｓ１４）。
【０１１１】
そして、再度Ｓ２〜Ｓ３の手順と同様に、制御手段２２は、それぞれの電力接続手段２５ａ、２５ｂ、２５ｃ、２５ｄに設けられた検知手段２８によって検知された電力供給源に基づいて供給可能な最大電力を判断し、その最大電力と取得した所定の識別情報から記録速度比較テーブルにおける電力別記録速度（ＤＶ）と設定記録速度（ＳＶ）とを判断して、記録速度を再設定する（Ｓ９）。
【０１１２】
最後に、光ディスクドライブ装置１０のレーザ駆動部２４では、ＬＤパワーやライトストラテジーのモードが再設定されて（Ｓ１０）、記録が開始される（Ｓ１１）。
【０１１３】
一方、制御手段２２が、電力別記録速度（ＤＶ）と設定記録速度（ＳＶ）を比較し（Ｓ５）、電力別記録速度（ＤＶ）は設定記録速度（ＳＶ）と等しい、つまりＤＶ＝ＳＶと判断した場合には、特に電力レベル表示手段２９に電力のレベル表示させることなく、そのまま記録が開始される（Ｓ１１）。
【０１１４】
次に、図３で示した記録速度比較テーブルを参照しながら具体例で説明する。
【０１１５】
ここで、例えば前述したＳ２の処理により、装着された光ディスク１２から取得された所定の識別情報において、製造メーカがＡ、メディア種別がＤＶＤ±Ｒ、設定記録速度（ＳＶ）が×１６であり、Ｓ３の処理により、供給可能な最大電力が１５Ｗ（ＤＣ＋５Ｖ、３Ａ）であると判断し、Ｓ４の処理により、その最大電力と取得した所定の識別情報から記録速度比較テーブルにおける電力別記録速度（ＤＶ）が×８であると判断した場合、ＤＶ＜ＳＶの関係が成立するので、Ｓ６の処理が行われる。
【０１１６】
そして、オペレータが、Ｓ７の処理により、起動時の電力供給源からの給電を中止し、Ｓ８の処理により、ＩＥＥＥ１３９４インターフェースに接続されたケーブルを他の電力接続手段２５ｃに接続すると、Ｓ９の処理により、その最大電力と取得した所定の識別情報から記録速度比較テーブルにおける×１２の電力別記録速度（ＤＶ）に記録速度が再設定されて、Ｓ１０の処理により、最適なＬＤパワーやライトストラテジーのモードが再設定されて、Ｓ１１の処理により、記録が開始される。
【０１１７】
つまり、起動時に設定された記録速度が×８であったものが、より電力の大きい他の電力供給源からの電力を供給することで、その記録速度が×１２と大きくなり光ディスクドライブ装置１０のスピンドルモータ１４の回転速度のパフォーマンスを充分に活用してデータの転送速度の向上を実現でき、記録時間を短縮できる。
【０１１８】
また、オペレータが、Ｓ７の処理により、起動時の電力供給源からの給電を中止し、Ｓ８の処理により、ＡＣアダプター２７を用いた交流電源のケーブルを他の電力接続手段２５ｄに接続すると、Ｓ９の処理により、その最大電力と取得した所定の識別情報から記録速度比較テーブルにおける×１８の電力別記録速度（ＤＶ）に記録速度が再設定されて、Ｓ１０の処理により、最適なＬＤパワーやライトストラテジーのモードが再設定されて、最後にＳ１１の処理により、記録が開始される。
【０１１９】
つまり、起動時に設定された記録速度が×８であったものが、より電力の大きい他の電力供給源からの電力を供給することで、その記録速度が×１８と大きくなり光ディスクドライブ装置１０のスピンドルモータ１４の回転速度のパフォーマンスを充分に活用してデータの転送速度の向上を実現でき、記録時間をさらに短縮できる。
【０１２０】
また、例えば前述したＳ２の処理により、装着された光ディスク１２から取得された所定の識別情報において、製造メーカがＡ、メディア種別がＤＶＤ−ＲＡＭ、設定記録速度（ＳＶ）が×６であり、Ｓ３の処理により、供給可能な最大電力が１５Ｗ（ＤＣ＋５Ｖ、３Ａ）であると判断し、Ｓ４の処理により、その最大電力と取得した所定の識別情報から記録速度比較テーブルにおける電力別記録速度（ＤＶ）が×８であると判断した場合、ＤＶ＞ＳＶの関係が成立するので、Ｓ１２の処理が行われる。
【０１２１】
そして、オペレータが、Ｓ１３の処理により、起動時の電力供給源からの給電を中止し、Ｓ１４の処理により、ＵＳＢインターフェースに接続されたケーブルを他の電力接続手段２５ｂに接続すると、Ｓ９の処理により、その最大電力と取得した所定の識別情報から記録速度比較テーブルにおける×６の電力別記録速度（ＤＶ）に記録速度が再設定されて、Ｓ１０の処理により、最適なＬＤパワーやライトストラテジーのモードが再設定されて、最後にＳ１１の処理により、記録が開始される。
【０１２２】
つまり、起動時に設定された記録速度が×８であったものが、より電力の小さい他の電力供給源からの電力を供給することで、その記録速度が×６と小さくなり光ディスクドライブ装置１０のスピンドルモータ１４の回転速度のパフォーマンスを下げて低電力での記録を行い、消費電力の低減を実現でき、バッテリー駆動の場合における動作時間を長くすることができる。
【０１２３】
なお、電力接続手段２５ａ、２５ｂ、２５ｃ、２５ｄのいずれかは、同一種の電力供給源に対して複数個の接続端子を有してもよく、同一種の電力供給源から供給される電流を大きくまたは小さくすることが容易にできるので、データの転送速度の向上または消費電力の低減を行うための処置を迅速に行うことができる。
【０１２４】
また、電力レベル表示手段２９に替えて、供給されている電力のレベルをオペレータに感知させる、例えば、ブザー、記録音声などの電力レベル警報手段（図示せず）を用いてもよく、制御手段２２は、電力の供給を受けていない他の電力供給源からの電力の供給をオペレータに促す旨の警報をその電力レベル警報手段で警報させることにより、オペレータはその電力レベル警報手段を通じて供給されている電力レベルを聴覚的に確実に感知できるので、データの転送速度の向上または消費電力の低減を行うための処置を迅速に行うことができる。
【０１２５】
また、制御手段２２は、記録開始時における電力別記録速度が設定記録速度よりも大きい場合には、設定記録速度またはその設定記録速度よりも小さい所定の記録速度で記録を開始するように制御することが好ましく、製造メーカの保証した最大記録速度（最大倍速）または記録品質の確認された所定の記録速度で記録することができるので、より安定した記録品質を確保できる。
【０１２６】
（実施の形態２）
図４〜図６において、図４は、本発明の実施の形態２に係わる光ディスクドライブ装置のブロック図で、図５は、本発明の実施の形態２に係わる光ディスクドライブ装置の起動から記録開始までの制御手順を示したフローチャートで、図６は、本発明の実施の形態２に係わる光ディスクドライブ装置が予め記憶している記録速度比較テーブルを示す図である。
【０１２７】
まず、図４で示したように、本発明に係る外付け型に対応した光ディスクドライブ装置５０は、画像装置５１を備えたホストコンピュータ５２に実装されたＩＥＥＥ１３９４インターフェースとバスケーブル５３を介して接続されていて、データ記録層を有し、記録または再生可能な光ディスク５４の下方には光ピックアップモジュール５５が配置され、その光ピックアップモジュール５５には、光ディスク５４を可変的に回転させたり、あるいは一定の速度で回転させたりする回転駆動力を与えるスピンドルモータ５６が搭載されている。
【０１２８】
また、光ピックアップモジュール５５を構成し対物レンズ（図示せず）を有する光ピックアップ５７は、その光ディスク５４にレーザ光を照射することで光ディスク５４の所定の領域に情報を書込み（記録）したり、あるいは照射したレーザ光の反射光を元に情報を読込み（再生）したりするためにキャリッジ５８に搭載され、そのキャリッジ５８はフィード部５９によって駆動され、光ディスク５４の半径方向に往復移動している。
【０１２９】
そして、フィード部５９には、キャリッジ５８を駆動するためのフィードモータ６０や、ギア（図示せず）、スクリューシャフト（図示せず）等が配置されていて、フィードモータ６０を回転させることによってキャリッジ５８が光ディスク５４の半径方向である内周側から外周側に渡って往復移動ができるような構成となっている。
【０１３０】
つまり、以上のような主要な構成要素によって、小型／薄型の光ディスクドライブ装置５０の光ピックアップモジュール５５が構成されている。
【０１３１】
また、アナログ信号処理部６１は、光ピックアップモジュール５５の内部のキャリッジ５８に搭載された光ピックアップ５７の内部のフォトセンサ（図示せず）からの出力信号を基に、フォーカスエラー信号とトラッキングエラー信号を生成して、光ピックアップ５７の３軸アクチュエータを制御するサーボ処理部６２に出力する。
【０１３２】
また、サーボ処理部６２は、アナログ信号処理部６１から送られてきたアナログ信号をデジタル信号に変換するＡ／Ｄ変換器、そのＡ／Ｄ変換器で変換されたデジタル信号を一時的に記憶するメモリ、メモリに記憶されたデジタル信号あるいはＡ／Ｄ変換器から送られてきたデジタル信号を所定の方法で演算する演算回路、その演算回路にて演算されたデジタル信号をアナログ信号に変換するＤ／Ａ変換器等によって構成されており、光ディスク５４のデータ記録層に形成されるレーザ光のビームスポットが光ディスク５４の情報トラックに精度よく追従するようにフィルタ信号処理や各種演算処理をデジタル演算によって行っている。
【０１３３】
そして、サーボ処理部６２は、モータ駆動部６３を介して光ピックアップ５７に搭載されている対物レンズをフォーカス方向やトラッキング方向に移動させたりする制御やチルト方向に傾けたりする制御を行うのに加えて、フィード部５９の移送制御やスピンドルモータ５６の回転制御等を行う。
【０１３４】
さらに、サーボ処理部６２は、制御手段６４からの制御に関する指令（コマンド）などによっていろいろなパラメータ設定やシーケンス制御がプレキシブルに行われている。
【０１３５】
そして、再生動作時には、光ディスク５４に光ピックアップ５７からレーザ光を照射し、その光ディスク５４からの反射光をフォトセンサで受光し、その受光した反射光に応じて再生信号としてアナログ信号処理部６１を介して、データスライサ、データＰＬＬ回路、ジッタ測定回路、エラー訂正部、変／復調部／バッファメモリ／レーザ制御部等から構成され、制御手段６４により制御されたデジタル信号処理部６５に送り込まれ、さらにそのデジタル信号処理部６５から出力された信号は、ホストコンピュータ５２側へ有効な再生用のデジタルデータとして転送される。
【０１３６】
一方、記録動作時には、制御手段６４により制御されたデジタル信号処理部６５によってホストコンピュータ５２から送られてきたデジタルデータを変調し、レーザ駆動部６６を介して光ピックアップ５７内に搭載されたレーザ（図示せず）等の光源に所定の駆動電流を供給し、その光源を例えばパルス状に発光させて、光ディスク５４の情報トラックに記録を行う。
【０１３７】
つまり、制御手段６４は、以上のように構成された光ディスクドライブ装置５０全体の制御を行うものである。
【０１３８】
次に、この光ディスクドライブ装置５０に電力を供給する電力供給源と供給された電力の経路について説明する。
【０１３９】
ここで、前述したように光ディスクドライブ装置５０の起動時において動作に必要な電力は、バスケーブル５３を介してホストコンピュータ５２とのデータ通信と電源供給との両方が可能なインターフェース６７としてＩＥＥＥ１３９４インターフェースから供給されている。
【０１４０】
したがって、ホストコンピュータ５２から所定の１８Ｗ（ＤＣ＋１２Ｖ、１．５Ａ）の電力がそのＩＥＥＥ１３９４インターフェースから電力接続手段６８ｂの方向に電力が供給され、さらにその電力接続手段６８ｂから電力切替手段６９の方向に、実線の矢印で示したように電力が供給される。
【０１４１】
このように、ＩＥＥＥ１３９４インターフェースと外付け型の光ディスクドライブ装置５０とを接続することにより、モバイル性の向上と併せて光ディスクドライブ装置５０とホストコンピュータ５２との間の信号の送受信を容易に行えるので、必要に応じてホストコンピュータ５２の機能を活用できる。
【０１４２】
なお、ここで破線の矢印は、起動時には電力を供給していない他の電力供給源から電力を供給した場合の、電力の供給方向を示している。
【０１４３】
また、電力切替手段６９は、複数種の電力供給源から供給されている電力のいずれかに択一的に切替えるためのスイッチ機能を有し、選択された電力のみが実線の矢印で示したようにサーボ処理部６２に供給されるようになっている。
【０１４４】
制御手段６４は、検知手段７１により検知された複数の電力供給源の中から所定の電力供給源を選択して、その選択された電力供給源からのみ電力を供給するように制御することにより、電力接続手段６８ａ、６８ｂ、６８ｃに複数の電力供給源が同時に接続されている場合でも、それら複数の電力供給源の相互間に生じる電流の逆流を未然に防止できるので、電力供給源を有効に保護することができる。
【０１４５】
また、この図からも明らかなように光ディスクドライブ装置５０は、インターフェース６７の一つであるＩＥＥＥ１３９４インターフェースとは異なる電力供給源として、同じくインターフェース６７の一つであるＵＳＢインターフェースまたはＡＣアダプター７０を用いた交流電源などの複数種の電力供給源から電力の供給を受けることのできるように、それぞれの電力供給源に接続されるケーブルの接続端子の仕様に応じた電力接続手段６８ａ、６８ｃを備えている。
【０１４６】
そして、それぞれの電力接続手段６８ａ、６８ｂ、６８ｃには、所定の電力が供給されたかどうかを検知するための検知手段７１が設けられ、その検知結果が制御手段６４に伝達されるようになっている。
【０１４７】
また、画像装置５１を備えたホストコンピュータ５２は、バスケーブル５３を介した制御手段６４とのデータ通信により表示機能が制御されており、例えば電力の供給を受けていない他の電力供給源からの電力の供給をオペレータに促す旨のメッセージを表示することによりオペレータはそのホストコンピュータを通じて供給されている電力レベルをより確実に感知できるので、データの転送速度の向上または消費電力の低減を行うための処置を迅速に行うことができる。
【０１４８】
また、その他の電力供給源であるＵＳＢインターフェースまたはＡＣアダプター７０を用いた交流電源などは、それぞれ異なる大きさの電力の供給が可能であって、ＵＳＢインターフェースであれば２．５Ｗ（ＤＣ＋５Ｖ、０．５Ａ）と規定されており、ＡＣアダプター７０を用いた交流電源であれば例えば４８Ｗ（ＤＣ＋１６Ｖ、３Ａ）やそれ以上の大きさの電力の供給も可能である。
【０１４９】
次に、図５を参照して起動から記録開始までの制御手順について説明する。
【０１５０】
まず、光ディスクドライブ装置５０に光ディスク５４が装着され、その光ディスクドライブ装置５０の電源がＯＮされると直ちに起動する（Ｓ２１）。
【０１５１】
次に、光ディスク５４はスピンドルモータ５６によって所定の回転速度で回転駆動されると、制御手段６４は、その光ディスク５４の内周側のデータイン領域に記録されたその光ディスク５４の製造メーカ、メディア種別、及び最大記録速度（最大倍速）を示す所定の識別情報をデジタル信号処理部６５経由で取得し、その識別情報に基づいて、予め制御手段６４に記憶されている例えば図６で示したような記録速度比較テーブルにおける設定記録速度（ＳＶ）を判断する（Ｓ２２）。
【０１５２】
ここで、制御手段６４は、それら所定の識別情報に基づいて容易にその光ディスク５４の設定記録速度と電力別記録速度を判断できるので、容易に安定した高品位の制御を実現できる。
【０１５３】
一方、制御手段６４は、それぞれの電力接続手段６８ａ、６８ｂ、６８ｃに設けられた検知手段７１によって検知された電力供給源に基づいて供給可能な最大電力を判断し（Ｓ２３）、その最大電力と取得した所定の識別情報から記録速度比較テーブルにおける電力別記録速度（ＤＶ）を判断する（Ｓ２４）。
【０１５４】
そして、制御手段６４が、電力別記録速度（ＤＶ）と設定記録速度（ＳＶ）を比較し（Ｓ２５）、電力別記録速度（ＤＶ）は設定記録速度（ＳＶ）よりも小さい、つまりＤＶ＜ＳＶと判断した場合には、例えばホストコンピュータ５２の画像装置５１にＬＯＷレベルであることのメッセージを表示させて（Ｓ２６）、オペレータに供給されている電力レベルを視覚的に確実に感知させて電力の供給を受けていない他の電力供給源からの電力の供給を促す。
【０１５５】
そうすると、オペレータはそのホストコンピュータ５２を通じて供給されている電力がＬＯＷレベルにあることを視覚的に確実に感知し、より電力の大きい他の電力供給源から電力を供給できるように、例えばＡＣアダプター７０を用いた交流電源のケーブルを他の電力接続手段６８ｃに接続して電力を供給する（Ｓ２７）。
【０１５６】
そうすると、制御手段６４は、検知手段７１により検知された複数の電力供給源の中から最も大きな電力供給源を選択して、その選択された電力供給源からのみ電力を供給するように電力切替手段６９を制御して切替える（Ｓ２８）。
【０１５７】
そして、起動時における検知手段７１により検知された電力供給源と記録開始時における検知手段７１により検知された電力供給源とを比較して、供給可能な最大電力が変化したと判断した場合には、変化後の最大電力と所定の識別情報とに対応した電力別記録速度に再設定する（Ｓ２９）。
【０１５８】
最後に、光ディスクドライブ装置５０のレーザ駆動部６６では、ＬＤパワーやライトストラテジーのモードが再設定されて（Ｓ３０）、記録が開始される（Ｓ３１）。
【０１５９】
また、制御手段６４が、電力別記録速度（ＤＶ）と設定記録速度（ＳＶ）を比較し（Ｓ２５）、電力別記録速度（ＤＶ）は設定記録速度（ＳＶ）よりも大きい、つまりＤＶ＞ＳＶと判断した場合には、例えばホストコンピュータ５２の画像装置５１にＨＩＧＨレベルであることのメッセージを表示させて（Ｓ３２）、オペレータに供給されている電力レベルを視覚的に確実に感知させて電力の供給を受けていない他の電力供給源からの電力の供給を促す。
【０１６０】
そうすると、オペレータはそのホストコンピュータ５２を通じて供給されている電力がＨＩＧＨレベルにあることを視覚的に確実に感知し、より電力の小さい他の電力供給源から電力を供給できるように、例えばＵＳＢインターフェースに接続されたケーブルを他の電力接続手段６８ａに接続して電力を供給する（Ｓ３３）。
【０１６１】
そうすると、制御手段６４は、検知手段７１により検知された複数の電力供給源の中から最も小さな電力供給源を選択して、その選択された電力供給源からのみ電力を供給するように電力切替手段６９を制御して切替える（Ｓ３４）。
【０１６２】
そして、起動時における検知手段７１により検知された電力供給源と記録開始時における検知手段７１により検知された電力供給源とを比較して、供給可能な最大電力が変化したと判断した場合には、変化後の最大電力と所定の識別情報とに対応した電力別記録速度に再設定する（Ｓ２９）。
【０１６３】
最後に、光ディスクドライブ装置５０のレーザ駆動部６６では、ＬＤパワーやライトストラテジーのモードが再設定されて（Ｓ３０）、記録が開始される（Ｓ３１）。
【０１６４】
一方、制御手段６４が、電力別記録速度（ＤＶ）と設定記録速度（ＳＶ）を比較し（Ｓ２５）、電力別記録速度（ＤＶ）は設定記録速度（ＳＶ）と等しい、つまりＤＶ＝ＳＶと判断した場合には、特にホストコンピュータ５２の画像装置５１にメッセージを表示させることなく、そのまま記録が開始される（Ｓ３０）。
【０１６５】
次に、図６で示した記録速度比較テーブルを参照しながら具体例で説明する。
【０１６６】
ここで、例えば前述したＳ２２の処理により、装着された光ディスク５４から取得された所定の識別情報において、製造メーカがＢ、メディア種別がＣＤ−Ｒ、設定記録速度（ＳＶ）が×５２であり、Ｓ２３の処理により、供給可能な最大電力が１８Ｗ（ＤＣ＋１２Ｖ、１．５Ａ）であると判断し、Ｓ２４の処理により、その最大電力と取得した所定の識別情報から記録速度比較テーブルにおける電力別記録速度（ＤＶ）が×３６であると判断した場合、ＤＶ＜ＳＶの関係が成立するので、Ｓ２６の処理が行われる。
【０１６７】
そして、オペレータが、Ｓ２７の処理により、より電力の大きい他の電力供給源から電力を供給できるように、例えばＡＣアダプター７０を用いた交流電源のケーブルを他の電力接続手段６８ｃに接続して電力を供給すると、Ｓ２８の処理により、電力切替手段６９によってその電力接続手段６８ｃに接続された電力供給源からのみ電力が供給され、Ｓ２９の処理により、その最大電力と取得した所定の識別情報から記録速度比較テーブルにおける×５２の電力別記録速度（ＤＶ）に記録速度が再設定されて、Ｓ３０の処理により、最適なＬＤパワーやライトストラテジーのモードが再設定されて、最後にＳ３１の処理により、記録が開始される。
【０１６８】
つまり、起動時に設定された記録速度が×３６であったものが、より電力の大きい他の電力供給源からの電力を供給することで、その記録速度が×５２と大きくなり光ディスクドライブ装置５０のスピンドルモータ５６の回転速度のパフォーマンスを充分に活用してデータの転送速度の向上を実現でき、記録時間をより短縮できる。
【０１６９】
また、例えば前述したＳ２２の処理により、装着された光ディスク５４から取得された所定の識別情報において、製造メーカがＢ、メディア種別がＤＶＤ−ＲＡＭ、設定記録速度（ＳＶ）が×６であり、Ｓ２３の処理により、供給可能な最大電力が１８Ｗ（ＤＣ＋１２Ｖ、１．５Ａ）であると判断し、Ｓ２４の処理により、その最大電力と取得した所定の識別情報から記録速度比較テーブルにおける電力別記録速度（ＤＶ）が×１２であると判断した場合、ＤＶ＞ＳＶの関係が成立するので、Ｓ３２の処理が行われる。
【０１７０】
そして、オペレータが、Ｓ３３の処理により、より電力の小さい他の電力供給源から電力を供給できるように、例えばＵＳＢインターフェースに接続されたケーブルを他の電力接続手段６８ａに接続して電力を供給すると、Ｓ３４の処理により、電力切替手段６９によってその電力接続手段６８ａに接続された電力供給源からのみ電力が供給され、Ｓ２９の処理により、その最大電力と取得した所定の識別情報から記録速度比較テーブルにおける×６の電力別記録速度（ＤＶ）に記録速度が再設定されて、Ｓ３０の処理により、最適なＬＤパワーやライトストラテジーのモードが再設定されて、最後にＳ３１の処理により、記録が開始される。
【０１７１】
つまり、起動時に設定された記録速度が×１２であったものが、より電力の小さい他の電力供給源からの電力を供給することで、その記録速度が×６と小さくなり光ディスクドライブ装置５０のスピンドルモータ５６の回転速度のパフォーマンスを下げて低電力での記録を行い、消費電力の低減を実現でき、バッテリー駆動の場合における動作時間を長くすることができる。
【０１７２】
なお、電力接続手段６８ａ、６８ｂ、６８ｃのいずれかは、同一種の電力供給源に対して複数個の接続端子を有してもよく、同一種の電力供給源から供給される電流を大きくまたは小さくすることが容易にできるので、データの転送速度の向上または消費電力の低減を行うための処置を迅速に行うことができる。
【０１７３】
また、制御手段６４は、記録開始時における電力別記録速度が設定記録速度よりも大きい場合には、設定記録速度またはその設定記録速度よりも小さい所定の記録速度で記録を開始するように制御することが好ましく、製造メーカの保証した最大記録速度（最大倍速）または記録品質の確認された所定の記録速度で記録することができるので、より安定した記録品質を確保できる。
【０１７４】
次に、図７の本発明の実施の形態２に係わる光ディスクドライブ装置の記録速度の再設定から起動までの制御手順を示したフローチャートを用いて、本実施の形態２の変形例について説明する。
【０１７５】
なお、このフローチャートのＳ２９における最大電力の変化を判断し、記録速度を再設定するまでの手順は、前述した内容と同じであるため図示と説明を省略する。
【０１７６】
まず、記録速度の再設定がなされた（Ｓ２９）後に、再設定された記録速度ともとの記録速度を比較して（Ｓ２９ａ）、再設定した記録速度がもとの記録速度よりも大きい場合には、まずもとの記録速度に設定してスピンドルモータ５６を回転駆動させて、そのときの回転数を例えばモータ駆動部６３からサーボ処理部６２へ回転数信号として出力させて、制御手段６４は、その回転数信号をサーボ処理部６２から検出する（Ｓ２９ｂ）。
【０１７７】
そして、制御手段６４は、そのサーボ処理部６２に対して設定した回転数を所定量だけ増加させて（Ｓ２９ｃ）、再度回転数信号を検出する。
【０１７８】
そして、回転数が上昇したかどうかを判断し（Ｓ２９ｄ）、上昇したというＹＥＳ判断であれば、さらに回転速度は所定範囲にあるかどうかを判断し（Ｓ２９ｅ）、所定範囲にあるというＹＥＳ判断であれば、光ディスクドライブ装置５０のレーザ駆動部６６では、ＬＤパワーやライトストラテジーのモードが再設定されて（Ｓ３０）、記録が開始される（Ｓ３１）。
【０１７９】
また、Ｓ２９ｅの回転速度は所定範囲にあるかどうかの判断において、所定範囲にないというＮＯ判断であれば、再度制御手段６４は、そのサーボ処理部６２に対して設定した回転数を所定量だけ増加させる（Ｓ２９ｃ）という処置に戻る。
【０１８０】
また、Ｓ２９ｄの回転数が上昇したかどうかの判断において、上昇しないというＮＯ判断であれば、その回転数に設定されたままＳ３０の処置へ進む。
【０１８１】
一方、記録速度の再設定がなされた（Ｓ２９）後に、再設定された記録速度ともとの記録速度を比較して（Ｓ２９ａ）、再設定した記録速度がもとの記録速度よりも小さい場合には、まずもとの記録速度に設定してスピンドルモータ５６を回転駆動させて、そのときの回転数を例えばモータ駆動部６３からサーボ処理部６２へ回転数信号として出力させて、制御手段６４は、その回転数信号をサーボ処理部６２から検出する（Ｓ２９ｆ）。
【０１８２】
そして、制御手段６４は、そのサーボ処理部６２に対して設定した回転数を所定量だけ減少させて（Ｓ２９ｇ）、再度回転数の情報を検出する。
【０１８３】
そして、回転数が下降したかどうかを判断し（Ｓ２９ｈ）、下降したというＹＥＳ判断であれば、さらに回転速度は所定範囲にあるかどうかを判断し（Ｓ２９ｉ）、所定範囲にあるというＹＥＳ判断であれば、光ディスクドライブ装置５０のレーザ駆動部６６では、ＬＤパワーやライトストラテジーのモードが再設定されて（Ｓ３０）、記録が開始される（Ｓ３１）。
【０１８４】
また、Ｓ２９ｉの回転速度は所定範囲にあるかどうかの判断において、所定範囲にないというＮＯ判断であれば、再度制御手段６４は、そのサーボ処理部６２に対して設定した回転数を所定量だけ減少させる（Ｓ２９ｇ）という処置に戻る。
【０１８５】
また、Ｓ２９ｈの回転数が下降したかどうかの判断において、下降しないというＮＯ判断であれば、その回転数に設定されたままＳ３０の処置へ進む。
【０１８６】
以上の説明のように、実施の形態２における光ディスクドライブ装置５０は、光ディスク５４を回転させるスピンドルモータ５６と、スピンドルモータ５６に電力を供給するモータ駆動部６３と、モータ駆動部６３へ供給する電力を制御してスピンドルモータ５６の回転制御を行うサーボ処理部６２と、を有し、制御手段６４は、サーボ処理部６２を制御しスピンドルモータ５６の回転速度の設定を加速または減速させて、モータ駆動部６３から出力される回転数信号を検出しながら、設定記録速度または所定の記録速度で記録を開始するように制御することによって、供給されている電力レベルをオペレータが感知し、データの転送速度の向上または消費電力の低減を行うための処置として電力供給源の種別を変更した際、その変更された電力供給源の最大電力と所定の識別情報とに対応した設定記録速度に到達しなくても、そのスピンドルモータ５６の回転速度のパフォーマンス範囲の中でよりその設定記録速度に近い速度で記録を開始できる。
【０１８７】
また、実際の記録に要する消費電力は、スピンドルモータ５６の回転駆動用電力に加えてＬＤパワー、ＬＳＩ（大規模集積回路）などの他の消費電力も必要とするため、記録前において単にスピンドルモータ５６の回転数を加速または減速だけさせて検出した回転数信号から判断できる回転数よりも記録動作中の回転数は小さくなるため、その分を加味して検出した回転数信号よりも低めの所定の記録速度での記録を行えるようにするのがより好ましい。
【０１８８】
（実施の形態３）
図８は、本発明の実施の形態３に係わる光ディスクドライブ装置の記録開始から記録の再開までの制御手順を示したフローチャートで、記録開始までの手順は、前述した実施の形態２と同様であるので省略する。
【０１８９】
また、本発明の実施の形態３に係わる光ディスクドライブ装置のブロック図は、図４と同様であるため、同じ構成要素については、それと同一の符号を用いて説明する。
【０１９０】
まず、制御手段６４は、記録開始時における検知手段７１により検知された電力供給源と記録動作途中における検知手段７１により検知された電力供給源とを比較して、供給可能な最大電力が変化したと判断した場合には、一旦記録動作を停止させて（Ｓ５１）、変化後の最大電力と所定の識別情報に対応した電力別記録速度に記録速度を再設定する（Ｓ５２）。
【０１９１】
そして、再設定された記録速度ともとの記録速度を比較して（Ｓ５３）、再設定した記録速度がもとの記録速度よりも大きい場合には、まずもとの記録速度に設定してスピンドルモータ５６を回転駆動させて、そのときの回転数を例えばモータ駆動部６３からサーボ処理部６２へ回転数信号として出力させて、制御手段６４は、その回転数信号をサーボ処理部６２から検出する（Ｓ５４）。
【０１９２】
そして、制御手段６４は、そのサーボ処理部６２に対して設定した回転数を所定量だけ増加させて（Ｓ５５）、再度回転数信号を検出する。
【０１９３】
そして、回転数が上昇したかどうかを判断し（Ｓ５６）、上昇したというＹＥＳ判断であれば、さらに回転速度は所定範囲にあるかどうかを判断し（Ｓ５７）、所定範囲にあるというＹＥＳ判断であれば、光ディスクドライブ装置５０のレーザ駆動部６６では、ＬＤパワーやライトストラテジーのモードが再設定されて（Ｓ５８）、記録が再開される（Ｓ５９）。
【０１９４】
また、Ｓ５７の回転速度は所定範囲にあるかどうかの判断において、所定範囲にないというＮＯ判断であれば、再度制御手段６４は、そのサーボ処理部６２に対して設定した回転数を所定量だけ増加させる（Ｓ５５）という処置に戻る。
【０１９５】
また、Ｓ５６の回転数が上昇したかどうかの判断において、上昇しないというＮＯ判断であれば、その回転数に設定されたままＳ５８の処置へ進む。
【０１９６】
一方、記録速度の再設定がなされた（Ｓ５２）後に、再設定された記録速度ともとの記録速度を比較して（Ｓ５３）、再設定した記録速度がもとの記録速度よりも小さい場合には、まずもとの記録速度に設定してスピンドルモータ５６を回転駆動させて、そのときの回転数を例えばモータ駆動部６３からサーボ処理部６２へ回転数信号として出力させて、制御手段６４は、その回転数信号をサーボ処理部６２から検出する（Ｓ６０）。
【０１９７】
そして、制御手段６４は、そのサーボ処理部６２に対して設定した回転数を所定量だけ減少させて（Ｓ６１）、再度回転数信号を検出する。
【０１９８】
そして、回転数が下降したかどうかを判断し（Ｓ６２）、下降したというＹＥＳ判断であれば、さらに回転速度は所定範囲にあるかどうかの判断し（Ｓ６３）、所定範囲にあるというＹＥＳ判断であれば、光ディスクドライブ装置５０のレーザ駆動部６６では、ＬＤパワーやライトストラテジーのモードが再設定されて（Ｓ５８）、記録が再開される（Ｓ５９）。
【０１９９】
また、Ｓ６３の回転速度は所定範囲にあるかどうかの判断において、所定範囲にないというＮＯ判断であれば、再度制御手段６４は、そのサーボ処理部６２に対して設定した回転数を所定量だけ減少させる（Ｓ６１）という処置に戻る。
【０２００】
また、Ｓ６２の回転数が下降したかどうかの判断において、下降しないというＮＯ判断であれば、その回転数に設定されたままＳ５８の処置へ進む。
【０２０１】
以上の説明のように、実施の形態３における光ディスクドライブ装置における制御手段６４は、記録開始時における検知手段７１により検知された電力供給源と記録動作途中における検知手段７１により検知された電力供給源とを比較して、供給可能な最大電力が変化したと判断した場合には、一旦記録動作を停止させて変化後の最大電力と所定の識別情報とに対応した電力別記録速度で記録を再開するように制御することにより、記録動作途中において、供給されている電力レベルをオペレータが感知し、データの転送速度の向上または消費電力の低減を行うための処置として電力供給源の種別を変更しても、その変更された電力供給源の最大電力と所定の識別情報とに対応した電力別記録速度で記録を再開できる。
【０２０２】
また、制御手段６４は、光ディスク５４を回転させるスピンドルモータ５６と、スピンドルモータ５６に電力を供給するモータ駆動部６３と、モータ駆動部６３へ供給する電力を制御してスピンドルモータ５６の回転制御を行うサーボ処理部６２と、を有し、制御手段６４は、サーボ処理部６２を制御しスピンドルモータ５６の回転速度の設定を加速または減速させて、モータ駆動部６３から出力される回転数信号を検出しながら、設定記録速度または所定の記録速度で記録を開始するように制御することによって、供給されている電力レベルをオペレータが感知して、データの転送速度の向上または消費電力の低減を行うための処置として電力供給源の種別を変更した際、その変更された電力供給源の最大電力と所定の識別情報とに対応した設定記録速度に到達しなくても、そのスピンドルモータ５６の回転速度のパフォーマンス範囲の中でよりその設定記録速度に近い速度で記録を開始できる。
【０２０３】
また、以上の実施の形態の説明において、光ディスクへの情報の書込み（記録）する場合について説明したが、光ディスクから情報を読込み（再生）する場合についても、同様の手順で処理できるのは言うまでもない。
【産業上の利用可能性】
【０２０４】
本発明による光ディスクドライブ装置は、従来のＣＤやＤＶＤなどの光ディスクだけでなく、記録層の片面二層化（ＤＶＤ±Ｒ  ＤＬ、ＤＶＤ±ＲＷ  ＤＬ）やデジタルハイビジョン映像の長時間録画にも対応が容易な次世代のＤＶＤとして注目されてきたＢＤ（ブルーレイ  ディスク）などの光ディスクにも利用できる。
【図面の簡単な説明】
【０２０５】
【図１】本発明の実施の形態１に係わる光ディスクドライブ装置のブロック図
【図２】本発明の実施の形態１に係わる光ディスクドライブ装置の起動から記録開始までの制御手順を示したフローチャート
【図３】本発明の実施の形態１に係わる光ディスクドライブ装置が予め記憶している記録速度比較テーブルを示す図
【図４】本発明の実施の形態２に係わる光ディスクドライブ装置のブロック図
【図５】本発明の実施の形態２に係わる光ディスクドライブ装置の起動から記録開始までの制御手順を示したフローチャート
【図６】本発明の実施の形態２に係わる光ディスクドライブ装置が予め記憶している記録速度比較テーブルを示す図
【図７】本発明の実施の形態２に係わる光ディスクドライブ装置の記録速度の再設定から起動までの制御手順を示したフローチャート
【図８】本発明の実施の形態３に係わる光ディスクドライブ装置の記録開始から記録の再開までの制御手順を示したフローチャート
【図９】従来の技術におけるコンピュータに接続されたフロッピー（登録商標）ディスク装置（周辺機器）のブロック図
【符号の説明】
【０２０６】
１０    光ディスクドライブ装置
１１    ホストコンピュータ
１２    光ディスク
１３    光ピックアップモジュール
１４    スピンドルモータ
１５    光ピックアップ
１６    キャリッジ
１７    フィード部
１８    フィードモータ
１９    アナログ信号処理部
２０    サーボ処理部
２１    モータ駆動部
２２    制御手段
２３    デジタル信号処理部
２４    レーザ駆動部
２５ａ    電力接続手段
２５ｂ    電力接続手段
２５ｃ    電力接続手段
２５ｄ    電力接続手段
２６    インターフェース
２７    ＡＣアダプター
２８    検知手段
２９    電力レベル表示手段
５０    光ディスクドライブ装置
５１    画像装置
５２    ホストコンピュータ
５３    バスケーブル
５４    光ディスク
５５    光ピックアップモジュール
５６    スピンドルモータ
５７    光ピックアップ
５８    キャリッジ
５９    フィード部
６０    フィードモータ
６１    アナログ信号処理部
６２    サーボ処理部
６３    モータ駆動部
６４    制御手段
６５    デジタル信号処理部
６６    レーザ駆動部
６７    インターフェース
６８ａ    電力接続手段
６８ｂ    電力接続手段
６８ｃ    電力接続手段
６９      電力切替手段
７０    ＡＣアダプター
７１    検知手段
【図１】
2008176841.tif 000003
【図２】
2008176841.tif 000004
【図３】
2008176841.tif 000005
【図４】
2008176841.tif 000006
【図５】
2008176841.tif 000007
【図６】
2008176841.tif 000008
【図７】
2008176841.tif 000009
【図８】
2008176841.tif 000010
【図９】
2008176841.tif 000011